(57)【要約】【課題】第２のスライドレールを第１のスライドレールに自動的に引き寄せるばねの自由端と第２のスライドレールとの結合／解放を簡単な構造で行うことができるスライダーを提供すること。【解決手段】  固定側の第１のスライドレール１２に可動側の第２のスライドレール１４を自動的に引き寄せるばね２２Ｒ、２２Ｌの自由端と第２のスライドレール１４の内端１４Ｕとが磁気的に結合され、第２のスライドレール１４が所定位置まで第１のスライドレールから離反すると、ばね２２Ｒ、２２Ｌの自由端が第１のスライドレールに設けられた磁気ストッパーに磁気的に吸着されるとともに、第２のスライドレール１４との磁気的結合が解放される。【選択図】図６
2013094345.tif 000002
【特許請求の範囲】
【請求項１】
固定物体に取付けられるべき第１のスライドレールと、前記第１のスライドレールに摺動自在に係合し前記固定物体に対してその壁面に沿って移動する可動物体に取付けられるべき第２のスライドレールと、前記第２のスライドレールが前記第１のスライドレールに対して所定位置まで引き寄せられ又は引き離されると前記第２のスライドレールを前記第１のスライドレールに弾性的に自動的に引き寄せ又は引き離すばね手段と、前記第２のスライドレールを前記ばね手段に抗して前記第１のスライドレールから前記所定位置を越えて引き離され又は引き寄せられると、前記第２のスライドレールを前記ばね手段から解放すると同時に前記所定位置で前記ばね手段の伸長状態を維持し、また前記第２のスライドレールが前記所定位置を越えて前記第１のスライドレールに引き寄せられ又は引き離されると、前記ばね手段の伸長状態の維持を解放するばね結合／解放手段とを備えたスライダーにおいて、前記ばね結合／解放手段は、前記ばね手段の自由端に設けられて前記ばね手段の伸縮と共に変位するばね側可動磁気結合部材と前記第２のスライドレールに設けられて前記第２のスライドレールと共に移動する第２のスライドレール側可動磁気結合部材と前記第２のスライドレールが前記第１のスライドレールに対して前記所定位置に離反又は接近するまで前記ばね手段が伸長すると、前記ばね側可動磁気結合部材を磁気的に吸着して前記ばね手段の伸長状態を維持する磁気ストッパーとから成り、前記ばね側可動磁気結合部材と前記第２のスライドレール側可動磁気結合部材も相互に磁気的に吸着して前記第２のスライドレールが前記第１のスライドレールに対して前記所定位置に達して前記ばね側可動磁気結合部材が前記磁気ストッパーに衝合するまで前記第２のスライドレール側可動磁気結合部材が前記ばね側可動磁気結合部材に結合するようにしたことを特徴とするスライダー。
【請求項２】
請求項１に記載のスライダーであって、前記ばね結合／解放手段の前記ばね側可動磁気結合部材と前記第２のスライドレール側磁気結合部材とのいずれか一方が磁石であって他方が磁石吸着性材料であるか、双方とも磁石であり、前記ばね側可動磁気結合部材が磁石である場合には、前記磁気ストッパーは、磁石吸着性材料か磁石であり、前記ばね側可動磁気結合部材が磁石でない場合には、前記磁気ストッパーは、磁石であることを特徴とするスライダー。
【請求項３】
請求項１又は２に記載のスライダーであって、前記第２のスライドレール側可動磁気結合部材と前記磁気ストッパーとは、相互に干渉しないように前記第２のスライドレールの移動方向とは直角の方向に位置をずらせて配置されていることを特徴とするスライダー。
【請求項４】
請求項１乃至３のいずれかに記載のスライダーであって、前記ばね手段は、１つ又は複数の引っ張りばねから成っていることを特徴とするスライダー。
【請求項５】
請求項１乃至４のいずれかに記載のスライダーであって、前記ばね手段は、前記引っ張りばねの収縮を緩衝するダンパーを含み、前記ばね側可動磁気結合部材は、前記ダンパーの伸縮ロッドに支持されていることを特徴とするスライダー。
【請求項６】
請求項１乃至４のいずれかに記載のスライダーであって、前記ばね手段は、前記引っ張りばねの伸縮を案内する案内部材を含み、前記ばね側可動磁気結合部材は、前記案内部材の案内杆に支持されていることを特徴とするスライダー。
【請求項７】
請求項１乃至４のいずれかに記載のスライダーであって、前記ばね手段は、前記引っ張りばねの伸縮を案内する案内部材を含み、前記ばね側可動磁気結合部材が前記第２のスライドレール側可動磁気結合部材及び前記磁気ストッパーとの吸着を阻害しないように前記案内部材の案内孔又は案内溝を摺動することを特徴とするスライダー。
【発明の詳細な説明】
【技術分野】
【０００１】
本発明は、筐体、壁体の如き固定物体に引出しや引戸の如き可動物体を摺動自在に支持するスライダーに関し、特に、固定物体と可動物体とにそれぞれ取り付けられて相互に摺動自在に重合する少なくとも２つのスライドレールのうち固定物体側の第１のスライドレールに対して可動物体側の第２のスライドレールが所定の位置に近づくと、第２のスライドレールが第１のスライドレールに自動的に引き寄せられたり第１のスライドレールから自動的に引き離されたりするようにしたスライダーの改良に関するものである。
【背景技術】
【０００２】
可動物体が重合位置に自動的に引き寄せられるように構成されたスライダーを例に掲げて説明すると、このようなスライダーは、固定物体の壁（例えば、引出キャビネットの筐体の内壁）と可動物体（例えば、引出キャビネットの引出し本体）との間に取付けられ、可動物体を固定物体に引き寄せたり、可動物体を固定物体から引き離したりするのを円滑に行うことができるようにし、また可動物体を固定物体に引き寄せて両者が重合する位置に近づくと、可動物体がばねによって自動的に重合位置まで引き寄せられるようになっている。
【０００３】
この種のスライダーは、固定物体に取付けられる第１のスライドレールと、この第１のスライドレールに摺動自在に係合し固定物体に対してその壁面に沿って移動する可動物体に取付けられる第２のスライドレールと、可動物体がばねに抗して固定物体から引き離されると、所定位置でばねの自由端から解放されると同時にばねの伸長状態を維持し、また第２のスライドレールを伸長状態に維持されているばねの自由端がある位置まで第１のスライドレールに引き寄せると、ばね手段の伸長状態の維持から解放して第２のスライドレールを第１のスライドレールに自動的に引き寄せるようにしたばね結合／解放手段とを備えている（特許文献１及び２参照）。
【０００４】
特許文献１、２に開示されている従来技術のスライダーでは、このばね結合／解放手段は、第１のスライドレール側に一端（固定端）が固定され、他端（可動端又は自由端）が第２のスライドレール側に着脱自在に結合されるばね（特許文献１の符号６、特許文献２の符号１４参照）の他に、このばねの自由端に保持され、可動物体の引き離し方向への第２のスライドレールの移動につれて第１のスライドレールに沿って可動物体の引き離し方向に移動するばね保持部材（特許文献１の符号３、特許文献２の符号１２参照）と、第２のスライドレールが第１のスライドレールから可動物体の引き離し方向へ所定位置（ばね解放位置）まで移動すると、ばね保持部材から第２のスライドレールの結合を解放するばね解放機構とから成っている。
【０００５】
しかし、従来技術のスライダーでは、ばね解放機構は、第１のスライドレール側に形成さればね保持部材の案内ピンが係入する案内溝（特許文献１の符号４、特許文献２の符号１１参照）と、第２のスライドレールがばね解放位置に達するまではばね保持部材の保持溝（特許文献１の符号９、特許文献２の符号８ｃ参照）内に第２のスライドレール側の結合ピン（特許文献１の符号５、特許文献２の符号１４参照）が係入してばね保持部材と第２のスライドレールとが結合され、第２のスライドレールがばね解放位置に達すると、ばね保持部材が変位してその案内溝から第２のスライドレール側の結合ピンが脱出してばね保持部材から第２のスライドレールから解放するようにしているので、ばね結合／解放手段が複雑な構造を有するという欠点があった。
【０００６】
【特許文献１】特公平５−２３７６３号公報
【特許文献２】特開２００４−２３６９７３号公報
【発明の開示】
【発明が解決しようとする課題】
【０００７】
本発明が解決しようとする課題は、第２のスライドレールを第１のスライドレールに引き寄せたり引き離したりするばねの自由端と第２のスライドレールとの結合／解放を簡単な構造で行うことができるスライダーを提供することにある。
【課題を解決するための手段】
【０００８】
本発明の課題解決手段は、  固定物体に取付けられるべき第１のスライドレールと、前記第１のスライドレールに摺動自在に係合し前記固定物体に対してその壁面に沿って移動する可動物体に取付けられるべき第２のスライドレールと、前記第２のスライドレールが前記第１のスライドレールに対して所定位置まで引き寄せられ又は引き離されると前記第２のスライドレールを前記第１のスライドレールに弾性的に自動的に引き寄せ又は引き離すばね手段と、前記第２のスライドレールを前記ばね手段に抗して前記第１のスライドレールから前記所定位置を越えて引き離され又は引き寄せられると、前記第２のスライドレールを前記ばね手段から解放すると同時に前記所定位置で前記ばね手段の伸長状態を維持し、また前記第２のスライドレールが前記所定位置を越えて前記第１のスライドレールに引き寄せられ又は引き離されると、前記ばね手段の伸長状態の維持を解放するばね結合／解放手段とを備えたスライダーにおいて、前記ばね結合／解放手段は、前記ばね手段の自由端に設けられて前記ばね手段の伸長と共に変位するばね側可動磁気結合部材と前記第２のスライドレールに設けられて前記第２のスライドレールと共に移動する第２のスライドレール側可動磁気結合部材と前記第２のスライドレールが前記第１のスライドレールに対して前記所定位置に離反又は接近するまで前記ばね手段が伸長すると、前記ばね側可動磁気結合部材を磁気的に吸着して前記ばね手段の伸長状態を維持する磁気ストッパーとから成り、前記ばね側可動磁気結合部材と前記第２のスライドレール側可動磁気結合部材も相互に磁気的に吸着して前記第２のスライドレールが前記第１のスライドレールに対して前記所定位置に達して前記ばね側可動磁気結合部材が前記磁気ストッパーに衝合するまで前記第２のスライドレール側可動磁気結合部材が前記ばね側可動磁気結合部材に結合するようにしたことを特徴とするスライダーを提供することにある。
【０００９】
本発明の課題解決手段において、前記ばね結合／解放手段の前記ばね側可動磁気結合部材と前記第２のスライドレール側磁気結合部材とのいずれか一方が磁石であって他方が磁石に吸着してくっつく材料(以下磁石吸着性材料と称する)であるか、双方とも磁石とすることができ、また前記ばね側可動軸結合部材が磁石である場合には、前記磁気ストッパーは、磁石吸着性材料か磁石とすることができるが、前記ばね側可動磁気結合部材が磁石でない場合には、前記磁気ストッパーは、磁石でなければならない。
【００１０】
この場合、前記第２のスライドレール側可動磁気結合部材と前記磁気ストッパーとは、相互に干渉しないように前記第２のスライドレールの移動方向とは直角の方向に位置をずらせて配置されている形態とするのが好ましい。
【００１１】
前記ばね手段は、１対の引っ張りばね又は１つの引っ張りばねとすることができ、更に、ばね手段は、前記引っ張りばねの収縮を緩衝するダンパーを含むことができ、前記ばね側可動磁気結合部材は、前記ダンパーの伸縮ロッドに支持されている形態とするのが好ましい。
【００１２】
さもなければ、前記ばね手段は、前記引っ張りばねの伸縮を案内する案内部材を含み、この案内部材は、案内孔又は案内溝を摺動する案内杆から成り、前記ばね側可動磁気結合部材が案内杆に連結されて前記引っ張りばねの伸縮を案内するようにしてもよいし、ばね側可動磁気結合部材自体が案内孔又は案内溝を摺動してばね側可動磁気結合部材が案内部材の一部を兼ねていてもよい。
【発明の効果】
【００１３】
本発明によれば、上記のように、第２のスライドレールを第１のスライドレールに引き寄せ又は引き離すばね手段と第２のスライドレールとの結合／解放は、ばね保持部材と結合ピンとの変位によって行う従来技術の複雑な構造を必要とすることなく、簡単な磁気結合作用で行うことができるので、スライダーを簡単な構造で安価に提供することができ、またこの結合／解放は、磁気的な結合と離反とで行われるので、ばね結合／解放を常に適正に行うことができる。
【図面の簡単な説明】
【００１４】
【図１】本発明のスライダーが使用された引出しキャビネットを示し、同図（Ａ）は引出キャビネットを閉じた状態の斜視図、同図（Ｂ）は、引出しキャビネットを若干開いた状態の斜視図である。
【図２】本発明の１実施例によるスライダーの第１と第２のスライドレールの重合状態（引出キャビネットが閉じて第２のスライドレールが第１のスライドレールに引き寄せられた状態に相応する状態）のスライダーを示し、同図（Ａ）は、その側面図、同図（Ｂ）は、その底面図である。
【図３】第２のスライドレールが第１のスライドレールからやや引き離された状態のスライダーを示し、同図（Ａ）は、その側面図、同図（Ｂ）は、その底面図である。
【図４】第２のスライドレールが第１のスライドレールから完全に引き離された状態（引出キャビネットが完全に開いた状態に相応する状態）のスライダーを示し、同図（Ａ）は、その側面図、同図（Ｂ）は、その底面図である。
【図５】第２のスライドレールが第１のスライドレールから完全に引き離されているが、ばね手段が伸長状態ではなく収縮状態に戻された誤動作状態のスライダーを示し、同図（Ａ）は、その側面図、同図（Ｂ）は、その底面図である。
【図６】同図（Ａ）乃至（Ｄ）はそれぞれ図２乃至図５の状態の要部拡大断面の底面図である。
【図７】本発明の第２の実施例によるスライダーの図３と同じ状態を示し、同図（Ａ）乃至（Ｃ）は、それぞれ、その側面図、底面図、要部拡大断面の底面図である。
【図８】図７のスライダーの誤動作状態を示し、同図（Ａ）乃至（Ｃ）は、それぞれ、その側面図、底面図、要部拡大断面の底面図である。
【図９】ばね手段が１つの引っ張りばねから成っている本発明の更に他の実施例を支援し、同図（Ａ）は、ばね手段の要部の横断面図、同図（Ｂ）は、その側面図である。
【図１０】自動引き離しの形態のスライダーに本発明を適用した更に他の実施例を示すが、第２のスライダーレールが第１のスライダーレールから引き離された状態の側面図である。
【発明を実施するための最良の形態】
【００１５】
本発明の好ましい実施の形態によるスライダー１０を述べると、このライダー１０は、引出しキャビネット、引き戸式キャビネット又は建築構造物の窓、開口の引き戸等に適用することができるが、図１には、引出しキャビネット１に適用し、引出しが所定位置まで閉じられると、自動的に閉じ位置方向に引き寄せられる形態とした場合が示されている。引出しキャビネット１は、前面が開口する筐体（固定物体）２とこの筐体２内に出し入れ自在に収納される引出し本体（可動物体）３とから成っている。このような引出キャビネットに使用する場合には、左右１対のスライダー１０Ｒ、１０Ｌが用いられる。これらのスライダー１０Ｒ、１０Ｌは、筐体２の両側の相対する内壁面と引出し本体３の両側面との間に取り付けられて引出し本体３を筐体２内に引出自在に支持している。
【００１６】
１対のスライダー１０Ｒ、１０Ｌは、対称的であることを除いて同じ構造を有するので、総体的にスライダー１０として以下にその構造を詳細に述べる。
【００１７】
スライダー１０は、筐体（固定物体）２の内壁に取付けられるべき第１のスライドレール１２と、この第１のスライドレール１２に摺動自在に係合し筐体２に対してその壁面に沿って移動する引出し本体（可動物体）３に取付けられるべき第２のスライドレール１４と、引出し本体（可動物体）３が筐体２側に所定位置まで引き寄せられると（引き込まれると）、第２のスライドレール１４を第１のスライドレール１２に弾性的に自動的に引き寄せるばね手段２０と、第２のスライドレール１４をばね手段２０に抗して第１のスライドレール１２から引出し本体３と筐体２との間の所定位置（これは、第１のスライドレールと第２のスライドレールとの間の所定位置でもある）を越えて引き離される（引き出されると）、第２のスライドレール１４をばね手段２０から解放すると同時に前記の引出し本体３と筐体２との間の所定位置（即ち第１のスライドレール１２と第２のスライドレール１４との間の所定位置）でばね手段２０の伸長状態を維持するが第２のスライドレール１４が前記所定位置を反対側に越えて第１のスライドレール１２に引き寄せさられると、ばね手段２０の伸長状態の維持を解放するばね結合／解放手段３０とを備えている。
【００１８】
図示の例では、第１のスライドレール１２が外側スライドレールであり、第２のスライドレール１４が内側スライドレールであるが、第１のスライドレール１２が内側で第２のスライドレール１４が外側であってもよい。また、図示の例では、第１と第２のスライドレール１２、１４の間に中間スライドレール１６が設けられているが（図４参照）、この中間スライドレール１６は、省略してもよい。なお、第１及び第２のスライドレール１２、１４は、筐体２、引出し本体３にそれぞれ取付けるのに用いられる図示しない取付けボルト用の孔を有する。
【００１９】
第１のスライドレール１２、第２のスライドレール１４及び中間スライドレール１６は、いずれも断面Ｕ字形に成形された溝形鋼の如き金属製の構造部材から成っているが、金属以外の材質であってもよい。第１のスライドレール１２と中間スライドレール１６とは、それらのウエブ１２Ｗ、１６Ｗが重合するように、側壁１２Ｓ、１６Ｓ間に配置された図示しない滑動部材（両側からボールの一部が露出するように多数のボールが間隔をあけて保持されている板状部材）によって摺動自在に嵌合され、第２のスライドレール１４は、そのウエブ１４Ｗが中間スライドレール１６のウエブ１６Ｗとは反対側に面するように、その側壁１４Ｓ、１６Ｓ間に配置された図示しない滑動部材（側壁１２Ｓ、１６Ｓ間の滑動部材と同様の構造のもの）によって相互に摺動自在に嵌合されている。
【００２０】
ばね手段２０は、図２乃至図５の（Ａ）に示すように、第１のスライドレール１２の左右の側壁１２Ｓに沿って側壁１２Ｓの内側に配置された１対の引っ張りばね２２Ｒ,２２Ｌから成っており、その一端（固定端）は、第１のスライドレール１２の内端（第２のスライドレール１４が離反する方向と反対側の端）に取り付けられたばね保持部材２４に固定され、他端（自由端）は、ばね連結片２６の両端にそれぞれ固定されている。従って、１対の引っ張りばね２２Ｒ、２２Ｌは、ばね連結片２６を引っ張ったり、押し込んだりして伸縮することができる。なお、ばね手段２０は、１つの引っ張りばねから成っていてもよく、この場合にも、引っ張りばねの一端（固定端）は、第１のスライドレール１２の内端に適宜固定され、他端（自由端）は、後に述べるばね結合／解放手段３０の可動側磁気結合部材を有する。
【００２１】
ばね結合／解放手段３０は、特に、図６に詳細に示されているように、ばね手段２０の自由端（可動端）、図示の形態では、１対の引っ張りばね２２Ｒ、２２Ｌのばね連結片２６に固定されてばね手段２０の伸縮と共に変位するばね側可動磁気結合部材３２と、第２のスライドレール１４の内端１４Ｕに設けられて第２のスライドレール１４と共に移動する第２のスライドレール側可動磁気結合部材３４と、第２のスライドレール１４が第１のスライドレール１２に対して所定の距離離反する所定位置までばね手段２０が伸長すると、ばね側可動磁気結合部材３２を磁気的に吸着してばね手段２０を伸長状態に維持する磁気ストッパー３６とから成り、ばね側可動磁気結合部材３２と第２のスライドレール側可動磁気結合部材３４も相互に磁気的に吸着して、第２のスライドレール側可動磁気結合部材３４は、第２のスライドレール１４が第１のスライドレール１２に対して所定の距離離反する所定位置でばね側可動磁気結合部材３２が磁気ストッパー３６に衝合するまでばね側可動磁気結合部材３２に結合するようにしている。
【００２２】
図示の形態では、ばね結合／解放手段３０のばね側可動磁気結合部材３２が磁石３２Ｍから成っており、第２のスライドレール側可動磁気結合部材３４と磁気ストッパー３６とが鉄等の磁石吸着性材料から成っているが、可動磁気結合部材３２が鉄等の磁石吸着性材料で可動磁気結合部材３４及び磁気ストッパー３６の双方が磁石であってもよく、また可動磁気結合部材３２、３４及び磁気ストッパー３６のすべてが磁石であってもよい。
【００２３】
また、第２のスライドレール側可動磁気結合部材３４と磁気ストッパー３６とは、相互に干渉しないように、第２のスライドレール１４の移動方向とは直角の方向に位置をずらせて配置されているのが好ましい。図示の形態では、第２のスライドレール側可動磁気結合部材３４は、第２のスライドレール（鉄製）１４のウエブ１４Ｗの先端を折り曲げて形成され、磁気ストッパー３６は、第１のスライドレール１２のウエブ１２Ｗの一部を切り欠き起立して形成され（図６参照）、従って、第１と第２のスライドレール１２，１４が所定距離離反する所定位置にあると、可動磁気結合部材３４と磁気ストッパー３６とは、相対する状態となる（図６（Ｂ）参照）。
【００２４】
図示の形態では、更に、ばね手段２０は、１対の引っ張りばね２２Ｒ、２２Ｌの間に配置されたオイル又は空気を作動流体とするダンパー２８を含み、ばね側可動磁気結合部材３２は、このダンパー２８の伸縮ロッド２８Ｒに支持されている。
【００２５】
次に、図１乃至図５の実施例によるスライダー１０の動作を図６を参照して詳細に述べると、引出しキャビネット１が閉じた状態では、スライダー１０の第２のスライドレール１４は、中間スライドレール１６を介して第１のスライドレール１２内に収納（重合）されているが（図２、図６（Ａ）参照）、第２のスライドレール１４は、ばね結合／解放手段３０のばね側可動磁気結合部材３２である磁石３２Ｍに第２のスライドレール側可動磁気結合部材（磁石吸着性材料）３４が吸着されているため、ばね手段２０によって第１のスライドレール１２側（引出しが閉じる方向）に引っ張られていて引出しキャビネット１の閉じた状態を維持している。
【００２６】
引出しキャビネット１を開くため、引出し本体３を手前に引くと、ばね側可動磁気結合部材３２（磁石３２Ｍ）と第２のスライドレール側可動磁気結合部材３４（磁石吸着性材料）との吸着によってばね手段２０の１対の引っ張りばね２２Ｒ、２２Ｌを伸長しながら可動磁気結合部材３２、３４が引出しの開放方向に移動してばね側可動磁気結合部材３２（磁石３２Ｍ）が磁気ストッパー３６に衝合する（図３及び図６（Ｂ）参照）。この位置から引出し本体３を更に開く方向に引くと、ばね側可動磁気結合部材３２を磁気ストッパー３６に吸着してこの位置に残したまま、第２のスライドレール側可動磁気結合部材３４は、ばね側可動磁気結合部材３２から離反するため、第２のスライドレール１４は、ばね手段２０から解放されてばね抵抗を受けることなく、第１のスライドレール１２から軽い力で引き離すことができ、従って引出し本体３を円滑に開くことができる（図４及び図６（Ｃ）参照）。なお、図示の形態では、第１と第２のスライドレール１２、１４の間に中間スライドレール１６を有するので、図４に示すように、第２のスライドレール１４は、この中間スライドレール１６を介して更に伸長して引出し本体３の引出し長さが大きくなっている。
【００２７】
図４の引出し開放状態から引出し本体３を筐体２内に引き込むと、第２のスライドレール１４が中間スライドレール１６と共に第１のスライドレール内に入り込み、遂には、第２のスライドレール側可動磁気結合部材３４がばね側可動磁気結合部材３２に衝合して両可動磁気結合部材３２、３４が相互に吸着する（図３及び図６（Ｂ）参照）。引出し本体３がこの位置を越えて更に内側に引き込まれると、ばね側可動磁気結合部材３２が磁気ストッパー３６から引き離される。従って第２のスライドレール１４は、ばね手段２０に結合された状態となると共に、ばね側可動磁気結合部材３２の伸長状態が解放されるので、引出し本体３から手を離しても、ばね手段２０の収縮によって第２のスライドレール１４が引き込み方向へ第１のスライドレール１２に引き寄せられるため、引出し本体３は、自動的に筐体２内に引き込まれる（図６（Ａ）参照）。この場合、ダンパー２８は、引出し本体３が筐体２内に引き込まれる際に、第２のスライドレールの引き寄せを緩衝するので、引出し本体３は、衝撃を受けることなく、穏やかに筐体２内に引き込まれる。
【００２８】
なお、引出し本体３を筐体２から急激に引き出すと、ばね結合／解放手段３０のばね側と第２のスライドレール側との可動磁気結合部材３２、３４が離反し（図５及び図６（Ｄ）参照）、引出し本体３は、ばね手段２０の抵抗を全く受けることなく、筐体２から引き出されるが、この場合、ばね側可動磁気結合部材３２は、当初の位置、即ち、引出し本体３が完全に閉じたときと同じ位置に残ったままとなっている（図６（Ｄ）参照）。このようにして引出し本体３が開いた状態から筐体２内に引き込むと、引出し本体３は、第２のスライドレール側可動磁気結合部材３４が磁気ストッパー３６を越えてもばね手段２０の作用を受けることがなく、従って手で押しながら引出し本体３を完全閉じ位置まで押し込まなければならないが、引出し本体３を完全に引き込むと、第２のスライドレール側可動磁気結合部材３４がばね側可動磁気結合部材３２に吸着し結合して正常な状態に戻る。このようにして、ばね手段２０及びばね結合／解放手段３０の機能が回復してスライダー１０を正常に復帰することができる。
【００２９】
本発明の他の実施の形態が図７、図８に示されており、この実施の形態では、ばね手段２０は、ダンパー２８を備えていないが、１対の引っ張りばね２２Ｒ、２２Ｌの間に配置さればね側可動磁気結合部材３２に連結されて１対の引っ張りばね２２Ｒ、２２Ｌの伸縮を案内する案内杆２８ＧＲを有する案内部材２８Ｇを備えていることを除いて図１乃至図６の実施の形態と同じである。この場合には、ばね手段２０が第２のスライドレール１４を引き寄せる際に、緩衝作用を有しないが、案内部材２８Ｇの案内杆２８ＧＲの摺動抵抗で若干の緩衝は行われる。
【００３０】
既に述べたように、ばね手段２０は、１つの引っ張りばねから成っていてもよいが、この場合、この１つの引っ張りばねは、例えば、図９に示すように、その自由端に取り付けられたばね側可動磁気結合部材３２を案内部材２８Ｇの案内溝（又は案内孔）２８ＧＧに沿って案内するようにし、またばね側可動磁気結合部材３２は、所定位置（磁気ストッパー３６に衝合する位置）の手前では第２のスライドレール側可動磁気結合部材３４に結合し、前記所定位置で磁気ストッパー３６に衝合するように案内部材から露出している（図９（Ｂ）参照）。このようにすると、ばね側可動磁気結合部材３２は、第２のスライドレール側可動磁気結合部材３４及び磁気ストッパー３６との吸着が阻害されることがない。なお、図９において、符号２６Ｐは、可動磁気結合部材３２を保持するばね保持部材２６Ｈの両側から延びる案内ピンを示す。
【００３１】
なお、上記実施例では、可動物体側の第２のスライドレールが固定物体側の第１のスライドレールに対して所定位置引き寄せられると、第１のスライドレール側に自動的引き寄せられるスライダーに本発明を適用した例であるが、可動物体側の第２のスライドレールが固定物体側の第１のスライドレールから所定位置離れると、第２のスライドレールが自動的に引き離されるスライダーにも本発明を同様に適用することができる。
【００３２】
図１０は、この自動引き離しの形態の実施例を示し、この実施例では、同図に示すように、ばね手段２０の引っ張りばね２２Ｒ、２２Ｌの一端は、第１のスライドレールの端部（第のスライドレール１４が引き離される側の端部）のばね保持部材２４に固定され、他端のばね連結片２６に可動磁気結合部材３２（図示の形態では磁石３２Ｍ）が取り付けられている。第１のスライドレール１２には、ばね保持部材２４から第２のスライドレール１４が引き寄せられる側の一部に磁気ストッパー３６が設けられている。図１０（Ａ）は、第２のスライドレール１４が第１のスライドレール１２から引き離される方向に引っ張りばね２２Ｒ、２２Ｌによって引っ張られて自動的に第１のスライドレール１２から最も引き離された（引き出された）状態を示し、この状態から第２のスライドレール１４を第１のスライドレール１２側に引き寄せる際に、第２のスライドレール１４側可動磁気結合部材３４とばね側磁気結合部材３２との結合によって引っ張りばね２２Ｒ、２２Ｌが伸長させられ、可動磁気結合部材３２が磁気ストッパー３６に衝合すると、その後、第２のスライドレール１４は、その磁気結合部材３４がばね側磁気結合部材32から離反し、第２のスライドレール１４は、引っ張りばね２２Ｒ、２２Ｌから解放されて第１のスライドレー１２内に自由に引き込まれる。逆に、第２のスライドレール１４が２第１のスライドレール１２から引き出し、その磁気結合部材３４がばね側磁気結合部材３２に衝合し、更にばね側磁気結合部材３２を磁気ストッパー３６から引き離すように押すと、第２のスライドレール１４は、引っ張りばね２２Ｒ、２２Ｌによって手を離しても自動的に第１のスライドレール１２から引き離される。
【産業上の利用可能性】
【００３３】
本発明によれば、第２のスライドレールを第１のスライドレールに引き寄せ又は引き離すばね手段と第２のスライドレールとの結合／解放は、簡単な磁気結合作用で行うので、スライダーを簡単な構造で安価に提供することができ、高い産業上の利用性を有する。
【符号の説明】
【００３４】
１      引出しキャビネット
２      筐体
３      引出し本体
１０      引出しスライダー
１２      第１のスライドレール
１２Ｗ    第１のスライドレールのウエブ
１２Ｓ    第１のスライドレールの側壁
１４      第２のスライドレール
１４Ｗ    第２のスライドレールのウエブ
１４Ｓ    第２のスライドレールの側壁
１６      中間スライドレール
１６Ｗ    中間スライドレールのウエブ
１６Ｓ    中間スライドレールの側壁
２０      ばね手段
２２Ｒ、２２Ｌ  １対の引っ張りばね
２４      ばね保持部材
２６      ばね連結片
２６Ｈ    ばね保持部材
２６ＨＰ  案内ピン
２８      ダンパー
２８Ｇ    案内部材
２８ＧＲ  案内杆
３０      ばね結合／解放手段
３２      ばね側可動磁気結合部材
３２Ｍ    磁石
３４      第２のスライドレール側可動磁気結合部材
３６      磁気ストッパー
【図１】
2013094345.tif 000003
【図２】
2013094345.tif 000004
【図３】
2013094345.tif 000005
【図４】
2013094345.tif 000006
【図５】
2013094345.tif 000007
【図６】
2013094345.tif 000008
【図７】
2013094345.tif 000009
【図８】
2013094345.tif 000010
【図９】
2013094345.tif 000011
【図１０】
2013094345.tif 000012